(57)【要約】【課題】簡素化されて安価な構成としながらも、互いに平行な３本の既設架線を容易な作業で、且つ短時間で迅速に拡幅することのできる架線拡幅具およびこの架線拡幅具用いて３本の架線の拡幅保持を良好に行える工法を提供する。【解決手段】１本の本体ロッド２のほぼ中央部に、真ん中の架線Ｓ２を把持する中線把持部材３が回動自在に取り付けられ、本体ロッド１の両端側における中線把持部材３に対し架線Ｓ１〜Ｓ３を拡幅すべき間隔に相当する距離だけ離間した２つの部位のうちの少なくとも一方に、外部操作によって架線Ｓ１〜Ｓ３に対し把持状態となる外線把持部材７が取り付けられ、且つ他方に、外部操作によって架線Ｓ１〜Ｓ３に対し把持状態となる外線把持部材または架線Ｓ１〜Ｓ３を保持する外線保持部材４が取り付けられている。本体ロッド２の一端部には、遠隔操作工具が着脱自在に係合される係合部４１が設けられている。【選択図】　　図１
2004015877.tif 000002
【特許請求の範囲】
【請求項１】
互いに平行な３本の既設架線の相互の間隔を拡幅する架線拡幅具において、
１本の本体ロッドのほぼ中央部に、３本の前記架線のうちの真ん中の架線を把持する中線把持部材が回動自在に取り付けられ、
前記本体ロッドの両端側における前記中線把持部材に対し前記架線を拡幅すべき間隔に相当する距離だけ離間した２つの部位のうちの少なくとも一方に、外部操作によって前記架線に対し保持状態から把持状態となる外線把持部材が取り付けられ、且つ他方に、外部操作によって前記架線に対し保持状態から把持状態となる外線把持部材または架線を保持する外線保持部材が取り付けられ、
前記本体ロッドの一端部に、遠隔操作工具が着脱自在に係合される係合部が設けられていることを特徴とする架線拡幅具。
【請求項２】
請求項１に記載の架線拡幅具の中線把持部材を、互いに平行な３本の既設架線のうちの真ん中の架線に対しこれを把持することにより支持される状態に取り付け、
前記本体ロッドを、これに回動自在に取り付いた前記中線把持部材を支点として回動させることにより、前記本体ロッドの一端の外線把持部材および他端の外線把持部材または外線保持部材を、外側の２本の前記各架線に保持状態に係合させ、
本体ロッドの一端の係合部に遠隔操作工具を係合させたのち、その遠隔操作工具の引っ張り操作または押圧操作によって前記本体ロッドを３本の前記架線に対しほぼ直交する相対配置となるまで回動させて、両側の２本の前記架線を真ん中の前記架線から離間方向に拡幅させ、
少なくとも１つの前記外部把持部材を外部操作して該外部把持部材で前記架線を把持させることにより、３本の前記架線を拡幅状態に保持させることを特徴とする架線拡幅具を用いた架線拡幅保持工法。
【発明の詳細な説明】
【０００１】
【発明の属する技術分野】
本発明は、例えば、配線箇所での切分工事を行うに際して、互いに平行な３本の既設架線における相互の間隔を遠隔操作で拡幅して保持する用途に用いる架線拡幅具およびこれを用いて３本の既設架線の間隔を拡幅した状態に保持できる好適な工法に関するものである。
【０００２】
【従来の技術】
複数の既設架線にバイパスケーブル線などを接続する切分工事を行うに際しては、既設架線に電源を供給した状態で絶縁遠隔操作工具によって遠隔操作しながら配線する工法（以下、ホットスティック工法と称する）を採用することが好ましい。なぜならば、切分工事を行う配線箇所の電源供給側回路を遮断した状態で工事を行うと、その工事中において広範囲の電力需要者に停電の影響が及ぶからである。上記ホットスティック工法を採用するためには、比較的間隔の狭い複数本の既設架線を互いに拡幅して、切分工具の取り付けや取り外しを容易に行える状況にする必要がある。
【０００３】
そこで、従来では、三角装柱配線などの平行架線配線箇所において、ホットスティック工法で切分工具を使用するために、上側に２本と下側に１本の計３本の互いに平行な既設架線を把持して架線間隔を拡幅保持する架線拡幅具および架線拡幅保持方法が提案されている（特開平９−２８９７１５号公報参照）。この架線拡幅具は、両端に架線把持具を備えるとともに伸縮機構を有する拡幅用横ロッドと、拡幅用横ロッドの軸部に着脱自在に連結れる連結具が上端に、且つ架線把持具を下端にそれぞれ備えるとともに伸縮機構を有する拡幅用縦ロッドとを備えて構成されている。そして、既設架線を拡幅するに際しては、拡幅用横ロッドを、これの両端の架線把持具に上側の２本の既設架線を挿入することにより支持させ、この拡幅用横ロッドの軸部に拡幅用縦ロッドの連結部を結合し、この拡幅用縦ロッドの架線把持具に下側の既設架線を挿入し、これと相前後して３つの架線把持具を把持状態にしたのちに、両ロッドをそれぞれ伸長させることにより、３本の架線をこれらの相互の間隔を拡幅した状態に保持する手順で行われる。
【０００４】
【発明が解決しようとする課題】
しかしながら、上記架線拡幅具は、上側に２本と下側に１本の計３本の互いに平行な既設架線の間隔を拡幅する用途に限定され、例えば鉛直方向または水平方向において互いに平行な３本の既設架線の間隔を拡幅する用途には活用できない。しかも、拡幅用横ロッドは、外套管の内部に出入自在に設けられた内挿管を、一対の傘歯車の組み合わせによって回転されるねじ棒とナットの螺合によって移動させるようになっており、外套管と内挿管の各々の外端部にそれぞれ既設架線把持具を有している。また、拡幅用横ロッドは、一端部に上述と同様の把持具を有し、他端部側に連結具、一対の傘歯車、回転操作用のねじ、内挿管を移動させるためのねじ棒などを有している。このように、上記架線拡幅具は、多くの部品点数を有した複雑な構造になっているため、コスト高になるだけでなく、構成の複雑化に伴い耐久性に乏しい。
【０００５】
さらに、上記架線拡幅具は、上側の２本の既設架線に支持させた拡幅用横ロッドの軸部に、遠隔操作用やっとこを用いて拡幅用縦ロッドを結合して組み立て、遠隔操作用レンチを用いて３つの架線把持具の各々の駆動ねじを締め付け、遠隔操作用フック工具を用いて拡幅用横ロッドにおけるねじ棒回転用の操作リングを回転操作し、遠隔操作レンチを用いて拡幅用縦ロッドにおけるねじ棒回転用の六角ねじ頭を回転操作するといった多くの煩雑な操作や作業性の悪い組立作業を要するので、既設架線の拡幅に時間がかかり過ぎる課題がある。
【０００６】
そこで、本発明は、上記従来の課題に鑑みてなされたもので、簡素化されて安価な構成としながらも、互いに平行な３本の既設架線を容易な作業で、且つ短時間で迅速に拡幅することのできる既設架線拡幅具およびこの既設架線拡幅具用いて３本の既設架線の拡幅保持を良好に行える工法を提供することを目的とするものである。
【０００７】
【課題を解決するための手段】
上記目的を達成するために、本発明に係る架線拡幅具は、互いに平行な３本の既設架線の相互の間隔を拡幅するものにおいて、１本の本体ロッドのほぼ中央部に、３本の前記架線のうちの真ん中の架線を把持する中線把持部材が回動自在に取り付けられ、前記本体ロッドの両端側における前記中線把持部材に対し前記架線を拡幅すべき間隔に相当する距離だけ離間した２つの部位のうちの少なくとも一方に、外部操作によって前記架線に対し保持状態から把持状態となる外線把持部材が取り付けられ、且つ他方に、外部操作によって前記架線に対し保持状態から把持状態となる外線把持部材または架線を保持する外線保持部材が取り付けられ、前記本体ロッドの一端部に、遠隔操作工具が着脱自在に係合される係合部が設けられていることを特徴としている。
【０００８】
この架線拡幅具では、１本の本体ロッドの中央部に中線把持部材が、両端部に外線把持部材または外線保持部材がそれぞれ取り付けられただけの簡単な構成であり、上記３つの把持部材または保持部材が既設架線を拡幅すべき間隔に対応した配置で設けられていることから、従来の傘歯車、ねじ棒、外套管と内挿管との組み合わせなどの複雑な構成からなる伸縮機構が不要となっており、大幅なコストダウンを図ることができる。しかも、この架線拡幅具は、３本の既設架線が水平方向および鉛直方向の何れの方向に並べて配線されたものであっても、これらの間隔の拡幅を行える利点がある。また、伸縮機構を有していないので、遠隔操作用レンチなどによる回転操作などが不要であり、遠隔操作工具を係合部に係合して回動させるだけで、３本の既設架線の間隔を拡幅することができるから、作業時間が大幅に短縮する。
【０００９】
本発明の架線拡幅具を用いた架線拡幅保持工法は、上記発明の架線拡幅具の中線把持部材を、互いに平行な３本の既設架線のうちの真ん中の架線に対しこれを把持することにより支持される状態に取り付け、前記本体ロッドを、これに回動自在に取り付いた前記中線把持部材を支点として回動させることにより、前記本体ロッドの一端の外線把持部材および他端の外線把持部材または外線保持部材を、外側の２本の前記各架線に保持状態に係合させ、本体ロッドの一端の係合部に遠隔操作工具を係合させたのち、その遠隔操作工具の引っ張り操作または押圧操作によって前記本体ロッドを３本の前記架線に対しほぼ直交する相対配置となるまで回動させて、両側の２本の前記架線を真ん中の前記架線から離間方向に拡幅させ、少なくとも１つの前記外部把持部材を外部操作して該外部把持部材で前記架線を把持させることにより、３本の前記架線を拡幅状態に保持させることを特徴としている。
【００１０】
この架線拡幅具を用いた架線拡幅保持工法では、中線把持部材を真ん中の既設架線に把持させることにより支持させた状態で、係合部に遠隔操作工具を係合させた状態で、この遠隔操作工具を例えば引下げ操作して架線拡幅具を回動させるだけで、各既設架線の間隔を一挙に拡幅することができ、従来の架線拡幅具のような拡幅用横ロッドと拡幅用縦ロッドとの結合による組立、遠隔操作レンチによる駆動ねじの締め付け、遠隔操作レンチを用いてのねじ棒回転用の六角ねじ頭の回転操作といった煩雑な操作や作業性の悪い組立作業が一切不要であり、極めて良好な作業性の僅かな操作を行うだけでよいから、作業時間を大幅に短縮することができる。
【００１１】
【発明の実施の形態】
以下、本発明の好ましい実施の形態について図面を参照しながら説明する。図１（ａ），（ｂ）は本発明の一実施の形態に係る架線拡幅具における架線拡幅具本体１を示す一部破断した正面図および一部破断した側面図である。この架線拡幅具は、架線拡幅具本体１と後述するバイパス線保持具とにより構成されている。架線拡幅具本体１は、１本の本体ロッド２の中央部に中線把持部材３が、両端部に上線保持部材４および下線把持部材７がそれぞれ取り付けられただけの簡単な構成になっている。
【００１２】
上記中線把持部材３は、架線受け材８とこの架線受け材８のねじ孔９に螺合されたねじ棒１０とを備えて構成されている。架線受け材８には、互いに平行な３本の既設架線Ｓ１〜Ｓ３のうちの真ん中の既設架線Ｓ２を嵌まり込ませる半円状の架線受け部８ａが設けられている。ねじ棒１０の架線受け部８ａ側の一端部には架線押圧部材１１が取り付けられ、ねじ棒１０の他端部には回転操作リング１２が固着されている。なお、図示していないが、架線押圧部材１１にはねじ棒１０の一端部が回転自在に挿入され、且つねじ棒１０の環状溝に抜け止め部が係合されている。これにより、架線押圧部材１１は既設架線Ｓ２に接触した時点で、ねじ棒１０の回転に拘わらず、回転せずに既設架線Ｓ２に押し付けられる。この中線把持部材３の架線受け材８は本体ロッド２に対し取付ピン１３によって回動自在に取り付けられている。
【００１３】
上記上線保持部材４は、これの一部破断した拡大正面図である図２に示すように、Ｕ字形金具１４と、このＵ字形金具１４の開口端を開閉するロックピン１７と、Ｕ字形金具１４に回転自在に設けられたローラ１８と、ロックピン１７を開位置と閉位置とに仮固定するボール１９と、このボール１９をロックピン１７に押し付ける方向に付勢するばね２０とを備えて構成されている。この上線保持部材４は、固定ねじ１５によって本体ロッド２に取り付けられている。
【００１４】
上記Ｕ字形金具１４の一方（図の左方）の側壁には、ロックピン１７が貫通するガイド孔２１と、このガイド孔２１に連通して側壁の内面側に形成された係止凹部２２と、側壁の上面からガイド孔２１に連通する取付孔２３とが形成されている。取付孔２３は、上記ボール１９とばね２０が挿入されて、封栓２８によって閉塞されている。Ｕ字形金具１４の他方（図の右方）の側壁には、ロックピン１７の先端の脱落防止鍔２４を挿入させる径を有するガイド孔２７が形成されている。
【００１５】
一方、ロックピン１７には、実線で図示の閉位置と２点鎖線で図示の開位置とにおいてボール１９がそれぞれ嵌まり込んで仮固定される環状溝２９、３０が形成されており、他端部（図の左端部）に操作リング３１と閉位置に位置決めするための位置決め鍔３２とが設けられている。したがって、操作リング３１を介してロックピン１７を外方に引っ張ると、ロックピン１７がボール１９をばね２０の付勢力に抗して環状溝２９から押し出して２点鎖線で示す開位置まで移動する。このとき、ロックピン１７は、脱落防止用鍔２４が係止凹部２２に嵌入して抜け止めされ、且つボール１９が環状溝３０に嵌まり込んで開位置に仮固定される。逆に、ロックピン１７を開位置から内方へ押し込むと、実線で図示するように、位置決め鍔３２がＵ字形金具１４の外面に当接して閉位置に位置決めされ、且つボール１９が環状溝２９に嵌まり込んで閉位置に仮固定される。
【００１６】
上記下線把持部材７は、取付ピン３３により一端部が本体ロッド２に回動自在に取り付けられた取付フレーム３４と、この取付フレーム３４の一端部のＵ字状部分に回転自在に取り付けられたローラ３７と、取付フレーム３４のねじ孔（図示せず）に螺合されたねじ棒３８とを備えて構成されている。ねじ棒３８のローラ３８側の一端部には架線押圧部材３９が取り付けられ、ねじ棒３８の他端部には回転操作リング４０が固着されている。なお、図示していないが、架線押圧部材３９にはねじ棒３８の一端部が回転自在に挿入され、且つねじ棒３８の環状溝に抜け止め部が係合されている。これにより、架線押圧部材３９は既設架線Ｓ３に接触した時点で、ねじ棒３８の回転に拘わらず、回転せずに既設架線Ｓ３に押し付けられる。
【００１７】
また、本体ロッド２における下線把持部材７が設けられている側の先端部には、遠隔操作用フック工具（図示せず）が掛け止めされるフック係止部４１が両側方に突設されているとともに、後述する吊り下げ紐が結び付けられる掛け止めフック部４２が設けられている。この掛け止めフック部４２の近傍には、この掛け止めフック部４２に結び付けられた吊り下げ紐の脱落防止片４４が回動自在に設けられているとともに、脱落防止片４４が鶴巻きばね４３により掛け止めフック部４２を閉じる方向に付勢されている。さらに、脱落防止片４４には、これを開く方向に操作するための操作リング４７が取り付けられている。
【００１８】
上記本体ロッド２は、優れた電気絶縁性を有するとともに吸湿性が少なく、且つ容易に変形したり絶縁性能が低下しない材質、例えばエポキシ樹脂系強化プラスチック（ＦＲＰ）を用いて２ｍｍ以上の厚さに形成されている。この本体ロッド２には、中線把持部材３の両側箇所に、雨天での作業時の雨切り４８が設けられ、この各雨切り４８の近接箇所にそれぞれフッ素系樹脂チューブ４９が巻装されている。また、本体ロッド２における一方の雨切り４８の両側の部位には、それぞれ収縮チューブを巻装してなる被把持部５０、５１が設けられている。一方の被把持部５０は、間隔を拡幅すべき３本の既設架線Ｓ１〜Ｓ３が水平方向に並んで互いに平行なものである場合に、架線拡幅具本体１をやっとこなどの保持具で保持させるためのものである。他方の被把持部５１は、間隔を拡幅すべき３本の既設架線Ｓ１〜Ｓ３が鉛直方向に並んで互いに平行なものである場合に、架線拡幅具本体１をやっとこなどの保持具で保持させるためのものである。
【００１９】
上記架線拡幅具本体１は、１本の本体ロッド２の中央部に中線把持部材３が、両端部に上線保持部材４および下線把持部材７がそれぞれ取り付けられただけの簡単な構成であり、上記２つの把持部材３，７と１つの保持部材４とが３本の既設架線Ｓ１〜Ｓ３を拡幅すべき間隔に対応した配置で設けられていることから、従来の傘歯車、ねじ棒、外套管と内挿管との組み合わせなどの複雑な構成からなる伸縮機構が不要となっており、大幅なコストダウンを図ることができる。しかも、上記架線拡幅具本体１は、３本の既設架線Ｓ１〜Ｓ３が水平方向および鉛直方向の何れの方向に並べて配線されたものであっても、これらの間隔の拡幅を行える利点がある。また、伸縮機構を有していないので、遠隔操作用レンチなどによる回転操作などが不要であり、遠隔操作工具をフック係止部４１に係合して回動させるだけで、３本の既設架線Ｓ１〜Ｓ３の間隔を拡幅することができるから、作業時間が大幅に短縮する。
【００２０】
つぎに、上記架線拡幅具本体１を用いて３本の既設架線Ｓ１〜Ｓ３の間隔を拡幅して保持する工法について、図３を参照しなから説明する。この実施の形態では、図３に示すように、鉛直方向に一列に並んで互いに平行に配線された３本の既設架線Ｓ１〜Ｓ３の間隔を拡幅する場合を例示して説明する。先ず、架線拡幅具本体１を、両把持部材３、４および下線把持部材７を開放して既設架線Ｓ１〜Ｓ３の挿入が可能な状態に設定し、遠隔操作用やっとこ（図示せず）を用いて架線拡幅具本体２の被把持部５１を挟持したのち、架線拡幅具本体１を鉛直の配置で各既設架線Ｓ１〜Ｓ３に近接させ、図１（ａ）に２点鎖線で示すように、中線把持部材３の架線受け材８の架線受け部８ａに真ん中の既設架線Ｓ１を被せるようにして挿入させることにより、架線拡幅具本体１をその既設架線Ｓ２に支持させる。
【００２１】
つぎに、遠隔操作用フック工具（図示せず）を用いて中線把持部材３の回転操作リング１２を回してねじ棒１０を既設架線Ｓ２側に進入させることにより、後述する図５に示すように、既設架線Ｓ２を架線受け部８ａと架線押圧部材とで挟み込んで把持する。これにより、架線拡幅具本体１は真ん中の既設架線Ｓ２に脱落することのない確実な支持状態に取り付けられる。
【００２２】
続いて、上記中線把持部材３の回転操作リング１２から離した遠隔操作用フック工具をフック係止部４１に掛け止め状態に係合させたのちに、この遠隔操作用フック工具を引き下げるように操作する。これにより、架線拡幅具本体１は、中線把持部材３の取付ピン１３を回動支点として回動し、図３に２点鎖線で示すように、上線保持部材４および下線把持部材７がそれぞれ上下の既設架線Ｓ１，Ｓ３に接触する傾斜した配置となる。この状態から、図１（ａ）に２点鎖線で示すように、上側の既設架線Ｓ１を上線保持部材４のＵ字形金具１４内に挿入させてローラ１８の上面に接触させるとともに、下側の既設架線Ｓ３を下線把持部材７のローラ３７の下面に当てがわせるように操作する。
【００２３】
上記状態において、遠隔操作用フック工具を上線保持部材４の操作リング３１に掛け止めしたのちに、この時点で開位置のロックピン１７を押し込む方向に加圧する。これにより、図２で説明したように、ロックピン１７は、図１（ａ）に示すように閉位置に位置決めされて、既設架線Ｓ１がＵ字形金具１４から抜け出ないように保持される。一方、下線把持部材７は図１（ａ）に示す状態のままにして、遠隔操作用フック工具をフック係止部４１に掛け止めし、この遠隔操作用フック工具をさらに引き下げて、架線拡幅具本体１をさらに回動させる。これにより、架線拡幅具本体１は、図３の２点鎖線で示す傾斜した配置から実線で示す鉛直の配置となり、この時点で遠隔操作用フック工具の引下げ操作を停止する。このとき、上線保持部材４および下線把持部材７は、これらのローラ１８、３７が対応する既設架線Ｓ１、Ｓ３に沿って転動することにより、既設架線Ｓ１、Ｓ３に対する係合状態を確実に保持ながら抵抗負荷を殆ど受けることなく変位する。このようにして架線拡幅具本体１が鉛直状態とされたときには、３つの既設架線Ｓ１〜Ｓ３が、上線保持部材４、中線把持部材３および下線把持部材７の各々の配設間隔によって設定された所定の間隔に拡幅されている。
【００２４】
このようにして各既設架線Ｓ１〜Ｓ３の間隔の拡幅操作が終了したならば、遠隔操作用フック工具を用いて下線把持部材７の回転操作リング４０を回してねじ棒３８を既設架線Ｓ３側に進入させることにより、図５に示すように、既設架線Ｓ３をローラ３７と架線押圧部材３９とで挟み込んで把持する。したがって、中線把持部材３による既設架線Ｓ２の把持に加えて、下線把持部材７が既設架線Ｓ３を把持するので、この２箇所の把持により、架線拡幅具本体１は回転不能状態に固定されるので、３本の既設架線Ｓ１〜Ｓ３をこれらの間隔を拡幅した状態に確実に保持することができる。これにより、既設架線Ｓ１〜Ｓ３にケーブル線などのバイバス線を接続する切分工事は、隣接する既設架線Ｓ１〜Ｓ３が邪魔になることのない良好な作業性のもとで行うことができる。
【００２５】
上記の架線拡幅具本体１を用いた架線拡幅保持工法では、中線把持部材３を真ん中の既設架線Ｓ１に把持させることにより支持させた状態で、フック係止部４１に遠隔操作用フック工具を掛け止め状態に係合させたのちに、この遠隔操作用フック工具を引下げ操作するだけで、各既設架線Ｓ１〜Ｓ３の間隔を一挙に拡幅することができ、従来の架線拡幅具のような拡幅用横ロッドと拡幅用縦ロッドとの結合による組立、遠隔操作レンチによる駆動ねじの締め付け、遠隔操作レンチを用いてのねじ棒回転用の六角ねじ頭の回転操作といった煩雑な操作や作業性の悪い組立作業が一切不要であり、極めて良好な作業性の僅かな操作を行うだけでよいから、作業時間を大幅に短縮することができる。
【００２６】
図４は、上記架線拡幅具本体１と共に用いる架線拡幅具を構成するバイパス線保持具５２を示す平面図である。このバイパス線保持具５２は、アーム５３の一端部に、架線拡幅具本体１の本体ロッド２にこれを把持する状態に固定される取付部５４が設けられているとともに、アーム５３の他端部に、図５に示すように既設架線Ｓ１〜Ｓ３に接続されたバイパス線５７、５８を保持するバイバス線保持部５９が設けられ構成になっている。取付部５４は、本体ロッド２のロッド受け材８とこのロッド受け材６０のねじ孔６１に螺合されたねじ棒６２とを備えて構成されている。ねじ棒６２のロッド受け材６０側の一端部にはロッド押圧部材６３が取り付けられ、ねじ棒６２の他端部には回転操作リング１２が固着されている。一方、バイバス保持具５９は、Ｕ字形金具６５と、このＵ字形金具６５の開口端を開閉するロックピン６６とを備えた構成になっている。ロックピン６６は、上線保持部材４と同様の構成になっており、操作リング６７による操作により閉位置と開位置とに択一的に位置決めされる。
【００２７】
つぎに、上記バイバス線保持具５２の使用法について説明する。図５に示すように、所定の間隔に拡幅した状態に保持されている既設架線Ｓ１〜Ｓ３に対してケーブル線などのバイパス線５７、５８を接続する切分工事を行うに際して、上記バイパス線保持具５２は、取付部５４で本体ロッド２を把持させることにより、本体ロッド２に対し側方（この場合は水平方向）に突出する相対配置で架線拡幅具本体１に固定して取り付けられる。このようにして取り付けられたバイパス線保持具５２のＵ字形金具６５内に接続すべきバイパス線５７、５８を挿入させたのち、ロックピン６６を閉位置に変位させることにより、バイパス線５７、５８をバイバス線保持部５９に抜け止め状態に保持する。さらに、バイパス線５７、５８におけるバイバス線保持部５９に対し下方側の部分は、フック部４２に結び付けられた吊り下げ紐６８に束ねた状態で吊り下げられる。これにより、ホットスティック工法の切分工事を行う場合であっても、バイパス線５７、５８は、各既設架線Ｓ１〜Ｓ３に対し側方に離間した位置に保持されているから、既設架線Ｓ１〜Ｓ３と接触して短絡するといったおそれがなくなる。そのため、バイパス線５７、５８は、極めて良好な作業性のもとで既設架線Ｓ１、Ｓ２に接続される。
【００２８】
【発明の効果】
以上のように本発明の架線拡幅具によれば、１本の本体ロッドの中央部に中線把持部材が、両端部に外線把持部材または外線保持部材がそれぞれ取り付けられただけの簡単な構成であり、上記３つの把持部材または保持部材が既設架線を拡幅すべき間隔に対応した配置で設けられていることから、従来の傘歯車、ねじ棒、外套管と内挿管との組み合わせなどの複雑な構成からなる伸縮機構が不要となっており、大幅なコストダウンを図ることができる。しかも、この架線拡幅具は、３本の既設架線が水平方向および鉛直方向の何れの方向に並べて配線されたものであっても、これらの間隔の拡幅を行える利点がある。また、伸縮機構を有していないので、遠隔操作用レンチなどによる回転操作などが不要であり、遠隔操作工具を係合部に係合して回動させるだけで、３本の既設架線の間隔を拡幅することができるから、作業時間が大幅に短縮する。
【図面の簡単な説明】
【図１】（ａ）、（ｂ）は本発明の一実施の形態に係る架線拡幅具における架線拡幅具本体を示す一部破断した正面図および一部破断した側面図。
【図２】同上の架線拡幅具本体の上線保持部材を示す一部破断した拡大正面図。
【図３】同上の架線拡幅具本体を用いて架線拡幅保持工法を行う説明図。
【図４】同上の実施の形態に係る架線拡幅具におけるバイパス線保持具を示す平面図。
【図５】同上のバイパス線保持具を用い架線拡幅保持工法を行う過程の一部破断した正面図。
【符号の説明】
２　本体ロッド
３　中線把持部材
４　上線保持部材（外線保持部材）
７　下線把持部材（外線把持部材）
４１　フック係止部（係合部）
Ｓ１〜Ｓ３　既設架線
【図１】
2004015877.tif 000003
【図２】
2004015877.tif 000004
【図３】
2004015877.tif 000005
【図４】
2004015877.tif 000006
【図５】
2004015877.tif 000007